(57)【特許請求の範囲】
【請求項１】
両端が封止された筒状に形成され、長手方向に一定の断面を有する槽本体、
前記槽本体の一端面に設けられ、給水管から給水圧が作用する水道水が供給される導入口、
前記導入口から前記槽本体の他端に延びて当該槽本体の他端面に向く給水口を形成し、その給水口を通して前記槽本体内に水道水を供給する内管、および
前記一端面に設けられ、非常時には非常用取水栓として使用される第１給水栓に前記槽本体内の水道水を供給する第１導出口を備える、貯水槽。
【請求項２】
前記給水口を固定位置に保持する保持手段をさらに備える、請求項１記載の貯水槽。
【請求項３】
前記保持手段は、少なくとも前記内管を挟んで対向する２箇所で前記槽本体の内面に接触するように前記内管を配管する配管手段を含む、請求項２記載の貯水槽。
【請求項４】
前記長手方向は水平方向であり、前記内管は、前記配管手段により前記槽本体内の最上部に接触するまで立ち上げられるとともに、前記槽本体内の最下部に接触するまで立ち下げられ、さらに前記内管の最上部には、吸気口が設けられる、請求項３記載の貯水槽。
【請求項５】
前記他端面が曲面に形成される、請求項１ないし４のいずれかに記載の貯水槽。
【請求項６】
前記槽本体は断面円形に形成され、その断面の中心位置に前記給水口が形成される、請求項１ないし５のいずれかに記載の貯水槽。
【請求項７】
前記一端面に設けられ、前記槽本体への貯水時には排気口として使用される第２給水栓に前記槽本体内の水道水を供給する第２導出口をさらに備え、
前記長手方向は水平方向であり、前記一端面の最下部に前記第１導出口が設けられ、前記一端面の最上部に前記第２導出口が設けられる、請求項１ないし６のいずれかに記載の貯水槽。
【請求項８】
両端が封止された円筒状に形成され、水平方向に一定の断面を有する槽本体、
前記槽本体の一端面の中心に設けられ、給水管から給水圧が作用する水道水が供給される導入口、
前記導入口から前記槽本体の他端に延び、前記槽本体内の最上部に接触するまで立ち上げられるとともに、前記槽本体内の最下部に接触するまで立ち下げられて、前記槽本体の他端面に向く給水口を形成し、その給水口を通して前記槽本体内に水道水を供給する内管、
前記一端面の最下部に設けられ、非常時には非常用取水栓として使用される第１給水栓に前記槽本体内の水道水を供給する第１導出口、および
前記一端面の最上部に設けられ、前記槽本体への貯水時には排気口として使用される第２給水栓に水道水を供給する第２導出口を備える、貯水槽。
【請求項９】
請求項７または８記載の貯水槽を建物の給水系管路に設けた給水システムであって、
前記第１導出口から水道水を前記第１給水栓に供給する第１配水管、
前記第２導出口から水道水を前記第２給水栓に供給する第２配水管、および
前記第２配水管に設けられる吸気手段を備える、給水システム。
【発明の詳細な説明】
【技術分野】
【０００１】
この発明は、貯水槽およびそれを用いた給水システムに関し、特にたとえば、建物内の給水系管路に設けられる、貯水槽およびそれを用いた給水システムに関する。
【背景技術】
【０００２】
従来、非常時に家庭で用いられる飲料水などを貯える目的で、給水系管路に貯水槽を設ける技術が公知である。たとえば、特許文献１では、貯水装置（貯水槽）のタンクの上手側の底壁近傍に、上水道管に接続した給水管が配管され、タンクの下手側の上壁近傍に、水を取り出す送水管が配管されている。
【特許文献１】特開２００４−２３８８２０号公報［Ｅ０３Ｂ  １１／０２、Ｅ０３Ｂ  １１／１４］
【発明の概要】
【発明が解決しようとする課題】
【０００３】
しかしながら、特許文献１の技術では、タンクに水を供給する給水管とタンクから水を取り出す送水管とを、タンクの上手側と下手側とに別々に配管する必要があり、その作業が面倒であった。
【０００４】
一方、これを回避するために、給水管と送水管とをタンクの上手側または下手側の一方にまとめて配管することが考えられるが、この場合には、タンクの上手側の底壁からタンクの下手側の上壁に向かう水の流れがなくなるため、水の置換性が悪くなり、衛生面で問題がある。
【０００５】
それゆえに、この発明の主たる目的は、施工性に優れ、しかもメンテナンスフリーで清潔な水を確保することができる、貯水槽およびそれを用いた給水システムを提供することである。
【課題を解決するための手段】
【０００６】
本発明は、上記の課題を解決するために、以下の構成を採用した。なお、括弧内の参照符号および補足説明などは、本発明の理解を助けるために後述する実施の形態との対応関係を示したものであって、本発明を何ら限定するものではない。
【０００７】
第１の発明は、両端が封止された筒状に形成され、長手方向に一定の断面を有する槽本体、槽本体の一端面に設けられ、給水管から給水圧が作用する水道水が供給される導入口、導入口から槽本体の他端に延びて当該槽本体の他端面に向く給水口を形成し、その給水口を通して槽本体内に水道水を供給する内管、および一端面に設けられ、非常時には非常用取水栓として使用される第１給水栓に槽本体内の水道水を供給する第１導出口を備える、貯水槽である。
【０００８】
第１の発明では、貯水槽（１０）は、槽本体（１２）を備えており、非常時に飲料水として用いられ得る水を貯留するとともに、給水管（１６）にたとえば住宅（１００）内の各給水栓（１８ａ，１８ｂ）を接続して、宅内に水道水を供給するために用いられる。槽本体の一端面（２２ｂ）のたとえば中心には、導入口（２６）が設けられる。導入口には、給水管が接続され、給水管から給水圧が作用する水道水が供給される。また、導入口には、内管（３８）が設けられる。内管は、導入口から槽本体の他端に向けて延び、他端面（２４ｂ）に向く給水口（４０）を形成する。また、槽本体の一端面のたとえば最下部には、導出口（２８）が設けられる。導出口には、配水管（３４ａ）が接続され、この配水管が非常時には非常用取水栓として使用される給水栓（１８ａ）に連結される。
【０００９】
第１の発明によれば、槽本体の一端面に導入口および導出口を設けるようにしたため、貯水槽に給水管および配水管を接続する配管作業をまとめて行うことができ、施工性に優れる。しかも、給水口を槽本体の他端面に向けて開口させたことにより、槽本体内の水道水の全体を攪拌することが可能である。したがって、槽本体の清掃など特別なメンテナンスをしなくても、槽本体内の全ての水道水が循環して常に清潔に保たれ、非常時にも清潔な水を得ることができる。
【００１０】
第２の発明は、第１の発明に従属し、給水口を固定位置に保持する保持手段をさらに備える。
【００１１】
第２の発明では、貯水槽（１０）は、給水口（４０）を固定位置に保持する保持手段を備えており、たとえば、槽本体（１２）内で内管（３８）の先端部を支持具で支持することによって、給水口の位置を固定する。
【００１２】
第３の発明は、第２の発明に従属し、保持手段は、少なくとも内管を挟んで対向する２箇所で槽本体の内面に接触するように内管を配管する配管手段を含む。
【００１３】
第３の発明では、内管（３８）が、少なくとも内管を挟んで対向する２箇所で槽本体（１２）の内面に接触するように配管され、実施例では、内管を槽本体内の最上部および最下部に接触させて、内管の上下方向の動きを規制することによって、給水口（４０）の位置を固定する。また、他の実施例では、内管を槽本体の内径と略等しい径で巻回させることによって形成したコイル状部（５２）を槽本体の内面に接触させて、内管の全方向の動きを規制することによって、給水口の位置を固定する。
【００１４】
第４の発明は、第３の発明に従属し、長手方向は水平方向であり、内管は、配管手段により槽本体内の最上部に接触するまで立ち上げられるとともに、槽本体内の最下部に接触するまで立ち下げられ、さらに内管の最上部には、吸気口が設けられる。
【００１５】
第４の発明では、内管（３８）をたとえば曲がり継手（４４）を介して上側に曲げて、槽本体（１２）内の最上部に接触するまで立ち上げるとともに、たとえば曲がり継手を介して下側に曲げて、槽本体内の最下部に接触するまで立ち下げる。そして、内管の最上部には、吸気口（５０）が設けられる。このため、非常時にたとえば貯水槽（１０）の逆止弁（３４）が破損しても、吸気口が内管内に空気を取り込んでサイフォン現象を防止することにより、槽本体（１２）内の水道水が給水管（１６）へ逆流してしまうことがない。
【００１６】
第５の発明は、第１ないし４のいずれかの発明に従属し、他端面が曲面に形成される。
【００１７】
第５の発明では、槽本体（１２）の他端面（２４ｂ）は、曲面に形成される。実施例では、槽本体の他端面は、凹状球面に形成され、給水口（４０）から槽本体内に流入した水道水が他端面に沿って槽本体の中心から径方向の外側かつ槽本体の一方の端面（２２ｂ）の方向へスムーズに流れる。
【００１８】
第６の発明は、第１ないし５のいずれかの発明に従属し、槽本体は断面円形に形成され、その断面の中心位置に前記給水口が形成される。
【００１９】
第６の発明では、槽本体（１２）は、長手方向に円形の断面を有しており、内管（３８）は、導入口（２６）から槽本体の他端に向けて延び、槽本体の断面の中心位置に給水口（４０）を形成する。
【００２０】
第６の発明によれば、槽本体内の水道水を均等に攪拌することができる。したがって、槽本体の清掃など特別なメンテナンスをしなくても、槽本体内の全ての水道水が循環して常に清潔に保たれる。
【００２１】
第７の発明は、第１ないし６のいずれかの発明に従属し、一端面に設けられ、槽本体への貯水時には排気口として使用される第２給水栓に槽本体内の水道水を供給する第２導出口をさらに備え、長手方向は水平方向であり、一端面の最下部に第１導出口が設けられ、一端面の最上部に第２導出口が設けられる。
【００２２】
第７の発明では、貯水槽（１０）が横置きにして設置され、槽本体（１２）の一端面（２２ｂ）の最下部には、非常時には非常用取水栓として使用される給水栓（１８ａ）に水道水を供給する導出口（２８）が設けられる。また、槽本体の一端面の最上部には、導出口（３０）が設けられる。導出口には、配水管（３４ｂ）が接続され、配水管が給水栓（１８ｂ）に連結される。そして、槽本体への貯水時にこの給水栓を開いておくことにより、給水栓から槽本体内の空気が逃がされるため、水道水はスムーズに槽本体に流入して、槽本体が満たされる。
【００２３】
第８の発明は、両端が封止された円筒状に形成され、水平方向に一定の断面を有する槽本体、槽本体の一端面の中心に設けられ、給水管から給水圧が作用する水道水が供給される導入口、導入口から槽本体の他端に延び、槽本体内の最上部に接触するまで立ち上げられるとともに、槽本体内の最下部に接触するまで立ち下げられて、槽本体の他端面に向く給水口を形成し、その給水口を通して槽本体内に水道水を供給する内管、一端面の最下部に設けられ、非常時には非常用取水栓として使用される第１給水栓に槽本体内の水道水を供給する第１導出口、および一端面の最上部に設けられ、槽本体への貯水時には排気口として使用される第２給水栓に水道水を供給する第２導出口を備える、貯水槽である。
【００２４】
第８の発明では、貯水槽（１０）は、槽本体（１２）を備えており、たとえば住宅（１００）の天井裏の空き空間（１０６）などに横置きにして設置される。槽本体の一端面（２２ｂ）には、導入口（２６）および導出口（２８，３０）が設けられる。導入口は、たとえば一端面の中心に設けられる。導入口には、給水管（１６）が接続されて、給水管から給水圧が作用する水道水が供給される。また、導入口には、内管（３８）が設けられる。内管は、槽本体の内部を他端に向けて延び、槽本体内の最上部まで立ち上げられた後、槽本体内の最下部まで立ち下げられて、槽本体の他端面（２４ｂ）に向く給水口（４０）を形成する。導出口（２８）は、一端面のたとえば最下部に設けられる。導出口には、配水管（３４ａ）が接続され、この配水管が非常時には非常用取水栓として使用される給水栓（１８ａ）に連結される。導出口（３０）は、一端面の最上部に設けられる。導出口には、配水管（３４ｂ）が接続され、この配水管が槽本体への貯水時には排気口として使用される給水栓（１８ｂ）に連結される。
【００２５】
第９の発明は、第７または８の発明の貯水槽を住宅の給水系管路に設けた給水システムであって、第１導出口から水道水を第１給水栓に供給する第１配水管、第２導出口から水道水を第２給水栓に供給する第２配水管、および第２配水管に設けられる吸気手段を備える、給水システムである。
【００２６】
第９の発明では、給水システムでは、槽本体（１２）の導出口（２８）に接続される配水管（３４ａ）が、非常時には非常用取水栓として兼用される給水栓（１８ａ）に連結される。また、槽本体の導出口（３０）に接続される配水管（３４ｂ）が、槽本体への貯水時には排気口として兼用される給水栓（１８ｂ）に連結され、この配水管には、配水管内に外気を吸入するための吸気弁（４２）が設けられる。
【発明の効果】
【００２７】
この発明によれば、導入口および導出口を槽本体の一端面に設けるようにしたため、施工性が向上され、しかも、給水口を槽本体の他端面に向けて開口させたことにより、槽本体内の水道水の全体を攪拌することが可能である。
【００２８】
この発明の上述の目的，その他の目的，特徴および利点は、図面を参照して行う以下の実施例の詳細な説明から一層明らかとなろう。
【図面の簡単な説明】
【００２９】
【図１】この発明の一実施例の貯水槽を住宅の給水系管路に設けた給水システムを示す図解図である。
【図２】図１の貯水槽を示す横方向断面図である。
【図３】図１の貯水槽を示す上方向断面図である。
【図４】図１の貯水槽を示す正面図である。
【図５】図１の貯水槽の一端を示す図解図である。
【図６】図１の貯水槽の他端を示す図解図である。
【図７】図１の給水栓を示す図解図である。
【図８】この発明の別の実施例の貯水槽を示す横方向断面図である。
【図９】図８の貯水槽の内管の立ち上げ部を示す拡大図である。
【図１０】この発明のさらに別の実施例の貯水槽の他端を示す図解図である。
【図１１】この発明のさらに別の実施例の貯水槽を示す横方向断面図である。
【図１２】この発明のさらに別の実施例の貯水槽の他端を示す図解図である。
【図１３】この発明の一実施例の貯水槽を設置した様子を示す正面図である。
【図１４】この発明の一実施例の貯水槽を別の設置方法で設置した様子を示す正面図である。
【図１５】この発明の一実施例の貯水槽をさらに別の設置方法で設置した様子を示す正面図である。
【図１６】この発明の一実施例の貯水槽をさらに別の設置方法で設置した様子を示す正面図である。
【図１７】この発明の一実施例の貯水槽をさらに別の設置方法で設置した様子を示す正面図である。
【発明を実施するための形態】
【００３０】
図１を参照して、この発明の一実施例である貯水槽１０は、槽本体１２を備えており、マンションおよび戸建などの住宅１００に設置されて、非常時に飲料水として用いられ得る水を貯留する。この実施例では、貯水槽１０は、浴室１０２の天井裏の空き空間１０４に横置きにして載置され、その場所で給水系管路に接続される。
【００３１】
給水系管路は、水道管１４から住宅１００内へ延びる給水管１６を含み、貯水槽１０は給水管１６に住宅１００内の各給水栓１８ａ，１８ｂを接続して、宅内に水道水を供給するために用いられる。つまり、この実施例では、貯水槽１０は給水ヘッダとして機能するとともに、非常用貯水槽としても機能する。
【００３２】
図２−図４に示すように、槽本体１２は、水を貯留する部位であり、硬質塩化ビニルおよびポリエチレンなどの合成樹脂によって形成される。槽本体１２は、管部２０および２つのキャップ部２２，２４を含み、長手方向、この実施例では水平方向に一定の断面を有するように形成されている。
【００３３】
管部２０は、両端開口の円管、つまり汎用の合成樹脂製パイプであり、その両端がそれぞれキャップ部２２，２４で塞がれる。たとえば、キャップ部２２，２４は、管部２０の両端のそれぞれの外面にＴＳ接合法などで装着される。この実施例では、内径が１４６ｍｍの円管を用いて管部２０を形成し、その長さを約１．５ｍとすることによって、１つの槽本体１２に１８リットルの水が貯留される。
【００３４】
図５に示すように、管部２０の一端を塞ぐキャップ部２２（以下、「第１キャップ部２２」ということがある）の側壁２２ａは円筒状であり、この側壁２２ａの内面は管部２０の内面より外側に配置されている。
【００３５】
また、第１キャップ部２２の底面（つまり、槽本体１２の一端を塞ぐ端面）２２ｂには、３つの受口２６，２８，３０が設けられる。３つの受口２６，２８，３０は、槽本体１２の外側に突き出しており、そこに接続継手３２が設けられている。そして、この接続継手３２を介して、給水管１６ないし配水管３４ａ，３４ｂと接続される。
【００３６】
接続継手３２には、図示は省略するが、たとえばワンタッチ式等の適宜な方式の継手が採用されるが、この発明の要旨ではないため、図５では正確に図解していない。一例を挙げると、市販品では、たとえば、ＴＯＴＯ株式会社製のＡＨＳ（アクアハイウェイシステム）継手およびクイックファスナー等が用いられ得る。
【００３７】
図２−図４に示すように、受口２６は導入口として利用され、端面２２ｂの中心、つまり槽本体１２の断面の中心位置に設けられる。そして、この導入口２６に接続継手３２を取り付けて、接続継手３２に給水管１６を接続することにより、給水圧が作用する水道水が導入口２６に供給される。
【００３８】
導入口２６には、給水管１６側に水道水が逆流しないようにするための逆止弁３６が設けられているが、逆流の恐れがない場合、たとえば貯水槽１０の内管３８や貯水槽１０の上流側に逆流防止機能がある場合などには、導入口２６に逆止弁３６を設けなくてもよい。
【００３９】
また、導入口２６には、給水管１６と反対側に、槽本体１２の内部を他端に向けて延びる内管３８が設けられる。内管３８は、硬質塩化ビニルやポリエチレンなどの合成樹脂管であり、導入口２６からたとえば管部２０の他端側へ管部２０の管軸に平行に延び、管部２０の他端を塞ぐキャップ部２４（以下、「第２キャップ部２４」ということがある）の底面（つまり、槽本体１２の他端を塞ぐ端面）２４ｂに向けて開口する。そして、その開口が導入口２６に供給された水道水を槽本体１２内に供給する給水口４０として利用される。つまり、給水口４０は、槽本体１２の断面の中心位置に配置されており、この給水口４０と端面２４ｂとの距離は、給水口４０から通常の給水圧で水道水が噴出したときに、その水道水が端面２４ｂに当たる範囲内に設定されている。
【００４０】
また、受口２８は第１の導出口として利用され、図５に示すように、端面２２ｂの最下部に設けられる。この導出口２８のほぼ下側半分は管部２０の管底より下側に位置し、導出口２８は、第１キャップ部２２の中で管部２０の内面より外側に形成された空間、つまり管部２０の管底より低い位置に形成された空間に連通されている。
【００４１】
そして、この導出口２８に接続継手３２を取り付けて、接続継手３２に配水管３４ａを接続することにより、槽本体１２内の水道水が配水管３４ａに供給される。配水管３４ａは、可撓性のある合成樹脂管などであり、たとえば、貯水槽１０よりも下位にある浴室１０２の給水栓１８ａに接続される（図１参照）。給水栓１８ａは、通常時には通常の給水栓として使用されるが、地震が発生して断水したときのように、水道水に給水圧が作用しなくなる非常時には、非常用取水栓として兼用される。
【００４２】
また、図２−図４に示すように、受口３０は第２の導出口として利用され、端面２２ｂの最上部に設けられる。図５に示すように、導出口３０のほぼ上側半分は管部２０の内面の最上部より上方に位置し、導出口３０は、第１キャップ部２２の中で管部２０の内面より外側に形成された空間、つまり管部２０の管頂より高い位置に形成された空間に連通されている。
【００４３】
そして、この導出口３０に接続継手３２を取り付けて、接続継手３２に配水管３４ｂを接続することにより、槽本体１２内の水道水が配水管３４ｂに供給される。たとえば、配水管３４ｂは、洗面所１０６の給水栓１８ｂに接続される（図１参照）。
【００４４】
給水栓１８ｂは、通常時には通常の給水栓として使用されるが、槽本体１２への貯水時には、空気抜き用の排気口として兼用される。つまり、槽本体１２への貯水時に給水栓１８ｂを開いておくことにより、ここから槽本体１２内の空気が逃がされるため、空気弁を設けなくても、水道水はスムーズに槽本体１２に流入して、槽本体１２を満たすこととなる。
【００４５】
図２および図３に戻って、第２キャップ部２４の側壁２４ａは円筒状であり、その底面２４ｂは凹状球面に形成される。この理由は、図６に示すように、給水口４０から槽本体１２内に流入した水道水が底面２４ｂにぶつかったときに、その水道水が第２キャップ部２４の底面２４ａに沿って槽本体１２の中心から径方向の外側かつ第１キャップ部２２の方向へスムーズに流れるようにし、これによって、槽本体１２内の水道水の攪拌を促進させるためである。
【００４６】
また、図１および図７に示すように、槽本体１２の導出口３０に接続される配水管３４ｂには、配水管３４ｂ内に外気を吸入するための吸気弁４２が設けられる。吸気弁４２は、維持管理を簡単に行うことができるように居住空間に面する位置に設けられ、洗面所１０６のたとえばシンク下の収納スペースに相当する位置などに設置される。
【００４７】
このような貯水槽１０を住宅１００内の給水系管路に設けた給水システムにおいては、給水管１６から給水圧が作用する水道水が槽本体１２の導入口２６に流入し、その水道水が内管３８を通って給水口４０から槽本体１２に供給され、槽本体１２内に貯えられる。このとき、上述したように、洗面所１０６の給水栓１８ｂを開いておくことにより、ここから槽本体１２内の空気が逃がされるため、水道水はスムーズに槽本体１２に流入することとなる。
【００４８】
そして、槽本体１２が水道水で満たされた後、給水栓１８ａ，１８ｂが使用されると、槽本体１２内に貯水されている水道水が導出口２８，３０から配水管３４ａ，３４ｂを通って給水栓１８ａ，１８ｂへ供給され、それに伴い新たな水道水が給水口４０から槽本体１２へ供給される。つまり、生活用水が使用される度に槽本体１２内に貯えられている水道水は給水管１６から供給される新たな水道水へ入れ替わる。このため、槽本体１２内の水道水は循環し、常に衛生的に保たれる。
【００４９】
また、非常時、水道水に給水圧が作用していない場合に、貯水槽１０の下位にある浴室１０２の給水栓１８ａを使用すると、槽本体１２内の水道水は配水管３４ａを通って自然流下し、給水栓１８ａから流れ出す。このとき、水道水が槽本体１２から流出しても、配水管３４ａに設けられた吸気弁４２から空気が槽本体１２に吸引され、それに伴い槽本体１２の内部の圧力は大気圧に保たれるため、槽本体１２の水道水は自然流下し続ける。
【００５０】
この実施例によれば、導入口２６および導出口２８，３０を槽本体１２の一方の端面２２ｂに設けるようにしたため、貯水槽１０に給水管１６および配水管３４ａ，３４ｂを接続する配管作業をまとめて行うことが可能である。したがって、施工性に優れる。
【００５１】
ここで、上述したように、槽本体１２の一方の端面２２ｂに水道水の導入口２６および導出口２８，３０を集中させると、水の置換性が悪くなるが、この実施例では、導入口２６を通って槽本体１２の他端まで延びる内管３８を設けて、給水口４０を槽本体１２の他端に配置したことにより、槽本体１２内に貯水されている水道水に給水口４０から各導出口２８，３０へ向かう流れができて、槽本体１２内の水道水が広範囲で攪拌される。よって、槽本体１２内の水道水が衛生的である。
【００５２】
しかも、給水口４０を槽本体１２の他方の端面２４ｂに向くように開口させたことにより、この給水口４０から槽本体１２に供給された水道水は、先ず、槽本体の端面２４ｂにぶつかり、そこから端面２４ｂに沿ってその付近を流動した後で、各導出口２８，３０へ向けて流れる。よって、通常であれば、水の置換性が悪い槽本体１２の端面２４ｂの付近の水道水も攪拌することができる。したがって、結果的に槽本体１２内に水道水が滞留する部分がなくなって、槽本体１２内の水道水の全体が攪拌されることとなる。
【００５３】
このように、この実施例によれば、施工性が向上され、しかも槽本体１２の清掃など特別なメンテナンスをしなくても、槽本体１２内の全ての水道水が循環して常に清潔に保たれ、非常時にも清潔な水を得ることができる。
【００５４】
さらに、槽本体１２の一方の端面２２ｂに水道水の導入口２６および導出口２８，３０を集中させたことで、槽本体１２と給水管１６および配水管３４ａ，３４ｂとの接続部が槽本体１２の端面２２ｂ近傍にまとめて配置されるため、それらの接続部の設備点検をまとめて行うことができ、維持管理性も向上する。
【００５５】
また、この実施例では、槽本体１２の端面２２ｂの最下部に導出口２８を設け、この導出口２８を非常時には非常用取水栓として兼用される給水栓１８ａに連結するようにしたため、非常時に槽本体１２内に貯留されている水道水を無駄無く取り出すことができる。しかも、第１キャップ部２２内で管部２０の管底より低い位置に形成される空間に連通する導出口２８に給水栓（非常用取水栓）１８ａを連結したことで、槽本体１２内の水道水は管部２０の管底より低い空間に流下して集められるため、槽本体１２内に貯められた水道水を全て使用することが可能である。そして、断水により、万が一槽本体１２内に砂などの異物が入った場合にも、給水栓１８ａを利用すれば槽本体１２内の異物を簡単に取り出すことができる。
【００５６】
さらにまた、この実施例によれば、槽本体１２の端面２２ｂの最上部に導出口３０を設け、この導出口３０を槽本体１２への貯水時に排気口として兼用される給水栓１８ｂに連結するようにしたため、槽本体１２のたとえば上部に排気弁（排気口）などを設けなくても、槽本体１２への貯水時に、槽本体１２内を水道水で満たすことが可能である。したがって、槽本体１２内に空気が存在しないため、槽本体１２内の水道水が衛生的である。
【００５７】
さらに、この実施例によれば、槽本体１２を断面円形にして、その断面の中心位置に給水口４０を配置したことにより、給水口４０から槽本体１２に供給された水道水が槽本体１２の径方向に均等に分散するため、槽本体１２内の水道水を均等に攪拌することが可能である。
【００５８】
また、この実施例によれば、洗面所１０６の給水栓１８ｂに水道水を供給する配水管３４ｂに吸気弁４２を設けるようにしたため、たとえば貯水槽１０（槽本体１２）の上部に吸気弁を直接設けた場合と比較して、吸気弁の維持管理が容易になる。そして、吸気弁４２をたとえば洗面所１０６のシンク下の収納スペースなど居住空間に面する位置に配置するようにすれば、維持管理性はより向上する。
【００５９】
図８および図９に示すこの発明の他の一実施例である貯水槽１０では、内管３８の形状が異なる。以下、図１に示す貯水槽１０と共通する部分については同じ番号を付して、重複する説明は省略する。
【００６０】
図８に示すように、内管３８には、立ち上げ部４４、および立ち下げ部４６が形成される。具体的には、内管３８は、導入口２６から槽本体１２の他端に向けて所定の長さ延びた後、９０°エルボ等の曲がり継手４８を介して上側に曲げられ、槽本体１２内の最上部、つまり管部２０の管頂に接触するまで立ち上げられ、そこに立ち上げ部４４が形成される。なお、この立ち上げ部４４の最上部、つまり内管３８の最上部には、図９に示すように、上方向に向けて開口する吸気口５０が設けられている。そして、そこから槽本体１２内の最上部を槽本体１２の他端に向けて所定の長さだけ延び、曲がり継手４８を介して下側に曲げられ、槽本体１２内の最下部、つまり管部２０の管底に接触するまで立ち下げられ、そこに立ち下げ部４６が形成される。それから、槽本体１２内の最下部を槽本体２２の他端に向けて所定の長さだけ延び、曲がり継手４８を介して上側に曲げられて、槽本体１２の断面の中心位置まで立ち上げられる。そして、内管３８はそこから槽本体１２の他端に向けて延びて、槽本体１２の他端２４ｂに向けて開口し、そこに給水口４０が形成される。
【００６１】
立ち上げ部４４、および立ち下げ部４６は、内管３８の先端部に形成される。この理由は、内管３８を槽本体１２内の最上部まで立ち上げ、そして槽本体１２内の最下部まで立ち下げた後で、槽本体１２の他端側に向けてあまり長く延ばすようにすると、内管３８をたとえば水より比重の軽いポリエチレン等によって形成した場合には、内管３８が浮力によって浮き上がることで給水口４０の位置が少し上方にずれる可能性があり、一方、内管３８をたとえば水より比重の重い硬質塩化ビニル等によって形成した場合には、内管３８が自重により垂れ下がることで給水口４０の位置が少し下方にずれる可能性があるからである。
【００６２】
このように、この実施例では、内管３８を槽本体１２内の最上部まで立ち上げるとともに、槽本体１２内の最下部まで立ち下げて、槽本体１２内の最上部および最下部に接触するようにしたため、内管３８の上下方向の動きを規制することができる。よって、給水口４０を固定位置、つまり槽本体１２の断面の中心位置に保持することができる。
【００６３】
また、この実施例では、内管３８の最上部に吸気口５０が設けられる。このため、たとえば地震が発生して断水したときのように、水道水に給水圧が作用しなくなる非常時に、その地震によって導入口２６の逆止弁３４が破損等しても、吸気口５０が内管３８内に空気を取り込んでサイフォン現象を防止することにより、槽本体１２内の水道水の給水管１６への逆流を防止することができる。
【００６４】
なお、この実施例における「接触」とは、内管３８と槽本体１２の内面とが接触している場合はもちろん、通常時には僅かに隙間が生じているが内管３８が少しでも動けば槽本体１２の内面と接触するような場合もそれに該当するものである。
【００６５】
また、この実施例では、曲がり継手４８を用いて内管３８を上側ないし下側に屈曲させたが、これに限定される必要はない。たとえば、図示は省略するが、曲げ加工により内管３８を緩やかに湾曲させて、槽本体１２内の最上部まで立ち上げるとともに、槽本体１２内の最下部まで立ち下げるようにしてもよい。
【００６６】
さらに、図示は省略するが、吸気口５０を内管３８の最上部のみならず、最下部にも設けるようにしてもよい。こうすることにより、貯水槽１０を上下逆向きに設置した場合であっても、サイフォン現象による槽本体１２内の水道水の給水管１６への逆流を防止することができる。
【００６７】
さらにまた、図１０に示すように、内管３８を槽本体１２内の最下部まで立ち下げた後、槽本体１２内の最上部まで立ち上げて、そこからそのまま槽本体１２内の最上部を槽本体２２の他端側に延ばして、槽本体１２内の最上部に給水口４０を形成するようにしてもよい。この場合には、たとえば水道水に給水圧が作用しなくなる非常時に逆止弁３４が破損等しても、給水口４０から内管３８内に空気を取り込んでサイフォン現象を防止することが可能である。つまり、給水口４０をサイフォン防止用の吸気口として兼用できる。
【００６８】
また、図示は省略するが、内管３８の立ち上げ部４４および立ち下げ部４６と槽本体１２の内面との間にポリエチレン（ＰＥ）やポリ塩化ビニル（ＰＶＣ）等のような樹脂からなるスペーサを取り付けて、このスペーサによって内管３８を受け止めるようにしてもよい。こうすることにより、内管３８が動いて槽本体１２の内面と衝突しても、その衝撃で内管３８ないし槽本体１２が破損等してしまうことがなくなる。
【００６９】
さらに、この実施例では、内管３８を槽本体１２内の最上部に接触するまで立ち上げるとともに、槽本体１２内の最下部に接触するまで立ち下げて、内管３８の動きを規制することによって、給水口４０の位置を固定したが、これに限定される必要はない。要は、内管３８を少なくとも内管３８を挟んで対向する２箇所で槽本体１２の内面に接触するように配管すれば、その２箇所での接触により内管３８の動きが規制されるため、給水口４０を固定位置に保持することが可能である。
【００７０】
たとえば、図１１に示すように、内管３８を部分的に管部２０の内径と略等しい径（巻き径）で巻回させることによってコイル状部５２を形成し、このコイル状部５２を槽本体１２の内面に接触させることで内管３８の動きを規制して、給水口４０を固定位置に保持するようにしてもよい。この場合には、上下方向のみならず、内管３８の全方向の動きを規制することができる。なお、コイル状部５２は、図９の実施例の立ち上げ部４４、および立ち下げ部４６と同じ理由により、内管３８の先端部に形成される。
【００７１】
また、たとえば、図１２に示すように、内管３８を汎用のチーズ継手等の分岐継手５４を用いて上方向に延びる内管３８ａと下方向に延びる内管３８ｂとに分岐させ、一方の内管３８ａを槽本体１２内の最上部に接触するまで立ち上げて、そこからそのまま槽本体１２内の最上部を槽本体２２の他端に向けて延ばし、槽本体１２内の最上部に給水口４０ａを形成するようにし、もう一方の内管３８ｂを槽本体１２内の最下部に接触するまで立ち下げて、そこからそのまま槽本体１２内の最下部を槽本体２２の他端に向けて延ばし、槽本体１２内の最下部に給水口４０ｂを形成するようにしてもよい。この場合には、たとえば水道水に給水圧が作用しなくなる非常時に逆止弁３４が破損等しても、給水口４０ａから内管３８内に空気を取り込んでサイフォン現象を防止することが可能であり、さらに、貯水槽１０を上下逆向きに設置した場合であっても、給水口４０ｂから内管３８内に空気を取り込んでサイフォン現象を防止することが可能である。
【００７２】
さらに、図示は省略するが、たとえばパンチングメタル等の厚み方向の通水が可能な素材によって支持具を形成し、内管３８の先端部をこの支持具で支持することによって、給水口４０を固定位置に保持するようにしてもよい。
【００７３】
ところで、上述の実施例では、貯水槽１０が浴室１０２の天井裏の空き空間１０６に横置きにして載置されたが、これに限定される必要はなく、少なくとも非常時に非常用取水栓として使用される給水栓１８ａより高い位置であって、かつ強度の高い場所であれば、住宅１００内の任意の場所に設置可能である。
【００７４】
たとえば、図示は省略するが、貯水槽１０を縦置きで設置して、槽本体１２の端面２４ｂが最下部になるようにしてもよい。ただし、この場合には、槽本体１２への貯水時にエア抜きでき、かつ非常時に非常用取水栓を使用しても槽本体１２内に空気が吸引されるように、槽本体１２の最上部、つまり槽本体１２の端面２２ｂに吸排気弁を設ける必要がある。こうすることにより、導出口２８，３０が連結される給水栓１８ａ，１８ｂのそれぞれを非常用給水栓として使用可能である。
【００７５】
また、たとえば、住宅１００の中の躯体１０８、たとえば天井裏のコンクリートスラブや梁などに吊りボルト５６を固定し、この吊りボルト５６に貯水槽１０を吊り下げて設置するようにしてもよい。
【００７６】
一例を挙げると、図１３に示すように、槽本体１２の外面に水平方向に突き出す固定部５８を設け、住宅１００の躯体１０８に固定した吊りボルト５６をこの固定部５８に挿通して、ナット等で適宜固定する。このように、貯水槽１０を住宅１００の躯体１０８に吊り下げて設置することにより、地震等の非常時に、コンクリートスラブなどと比較して強度が弱い天井材が破損して貯水槽１０ごと落下してしまうことを防ぐことができ、しかも槽本体１２の周方向への転がり（回転）を防止することができる。
【００７７】
また、図１４に示すように、槽本体１２を挟み込んで連結する半割り管状のフレーム６０，６０によって槽本体１２の外面を覆い、住宅１００の躯体１０８に固定した吊り金具５６をこのフレーム６０，６０の周方向の両端縁に形成された鍔部６０ａに挿通し、ナット等で適宜固定することによって、貯水槽１０を設置するようにしてもよい。なお、この場合には、フレーム６０，６０の内側での槽本体１２の転がりを防止する手段として、槽本体１２の外面、およびフレーム６０の内側のそれぞれに、互いに嵌まり合う凸部、または凹部を形成すると好適である。
【００７８】
さらに、図１５に示すように、下端に円形の筒部５６ａを有する吊り下げ具５６を住宅１００の躯体１０８に固定し、この吊り下げ具５６の筒部５６ａに貯水槽１０の導出口３０に取り付けた接続継手３２を挿通させることによって、貯水槽１０を吊り下げ具５６に掛止させて固定するようにしてもよい。この場合には、導出口３０が必然的に端面２２ｂの最上部に位置決めされるため、貯水槽１０の設置時に現場で槽本体１２の向きを調整する手間を省くことができ、作業性が向上される。
【００７９】
さらにまた、図１６に示すように、天井裏などに台座６２を設置して、この台座６２の上に貯水槽１０を載置するようにしてもよい。台座６２の上面は、槽本体１２の外形に相当する所定の径で湾曲する凹状曲面６２ａによって形成されており、この凹状曲面６２ａに槽本体１２のたとえばキャップ部２２，２４を沿わせて載置することによって、貯水槽１０の周方向への転がりが防止される。
【００８０】
さらに、図示は省略するが、このような台座６２を槽本体１２のたとえばキャップ部２２，２４の外面上に一体的に形成するようにしてもよい。
【００８１】
また、図１６に示すように、天井裏の空き空間１０６などに断熱材などで形成された矩形状のケース６０を設置して、このケース６４の中に貯水槽１０を収めるようにしてもよい。たとえば、ケース６４の内面を槽本体１２の外面に沿う形状に形成すれば、このケース６４の中に貯水槽１０を収容することにより、槽本体１２の周方向への転がりを防止することが可能である。また、導出口２８，３０をそれぞれ槽本体１２の最上部ないし最下部に位置させた状態で貯水槽１０をケース６４の中に収容しておけば、貯水槽１０の設置時に現場で槽本体１２の向きを調整する手間を省くことができ、作業性が向上される
さらにまた、槽本体１２内の水道水を手動ポンプや電動ポンプなどにより直接汲み上げるのであれば、給水栓１８ａより高い位置に貯水槽１０を設置する必要もない。
【００８２】
また、図示は省略するが、居住空間に面する位置、たとえば階段下や床上、天井下などに専用のスペースを設けて、その場所に貯水槽１２を設置し、槽本体１２の導出口２８に直接給水栓（非常用取水栓）を設けるようにしてもよい。
【００８３】
さらにまた、上述の実施例では、洗面所１０６のシンク下の収納スペースに吸気弁４２を配置したが、これに限定される必要はなく、吸気弁４２は配水管３４ｂの任意の場所に設けられていればよい。さらに、給水栓１８ｂ自体の、バルブよりも上流側に吸気弁４２を設けるようにしてもよい。また、槽本体１２内の水道水を給水栓１８ａ（非常用取水栓）から取り出すときに、給水栓１８ｂを開けておくことで、給水栓１８ｂの吐水口を吸気口として兼用させるようにすれば、吸気弁４２を設ける必要もない。さらにまた、吸気弁４２の代わりに、吸排気弁を設けるようにしてもよい。要は、配水管３４ｂないし給水栓１８ｂに吸気手段が設けられていればよい。
【００８４】
また、上述の実施例では、槽本体１２を管部２０とキャップ部２２，２４とに分けて形成し、キャップ部２２に導入口２６と導出口２８，３０を設けたが、これに限定される必要はなく、管部２０とキャップ部２２とを一体的に成形してもよい。また、キャップを略円板状に形成してもよいし、管の管端とキャップとの接合方法についても、接着接合、融着接合、溶着接合等の適宜の接合手段を採用することができる。
【００８５】
さらに、槽本体１２の端面２４ｂ（つまり、キャップ２４の底面）２４ｂを必ずしも凹状球面に形成する必要もなく、平坦な面や曲面に形成してもよい。たとえば、槽本体１２の端面２４ｂを、給水口４０の位置を頂点として湾曲する曲面に形成すれば、給水口４０から槽本体１２内に流入して端面２４ｂにぶつかった水道水が、曲面に沿ってその付近を流動することで、新しい水道水が槽本体１２の端面２４ｂの付近の全体にスムーズに行き届くため、槽本体１２内の水道水の攪拌が促進されることとなる。
【００８６】
さらにまた、上述の実施例では、槽本体１２を断面円形に形成して、その断面の中心位置に給水口４０を配置したが、これに限定される必要はない。
【００８７】
たとえば、給水口４０を必ずしも槽本体１２の断面の中心位置に配置する必要はない。ただし、給水口４０を槽本体１２の断面の中心位置に近づければ、その分だけ槽本体１２内の水道水をより均等に攪拌することが可能になる。
【００８８】
また、槽本体１２は、長手方向に一定の断面を有するかつ両端が封止された筒体であれば必ずしも断面円形に形成する必要はなく、たとえば断面四角形、断面六角形、その他軸対称な任意の形状に形成してもよい。
【００８９】
さらにまた、上述の実施例では、非常時に槽本体１２内に貯留されている水道水を無駄無く取り出すことができるように、槽本体１２の端面２２ｂの最下部に設けた導出口２８から水道水を供給する給水栓１８ａを非常用取水栓として使用したが、これに限定される必要はない。
【００９０】
さらに、貯水槽１０の導出口２８が当該貯水槽１０よりも下位にある浴室１０２の給水栓１８ａに連結され、また貯水槽１０の導出口３０が洗面所１０６の給水栓１８ｂに連結されたが、これに限定される必要はない。
【００９１】
たとえば、貯水槽１０の導出口３０に接続された配水管３４ｂをキッチン１０８の給水栓１８ｃに供給するようにしてもよい。要は、槽本体１２の一端を塞ぐ端面２２ｂに設けられる導出口のうち、最も高位に位置する導出口を槽本体１２への貯水時に排気口として兼用される給水栓に連結し、最も低位に位置する導出口を非常時に非常用取水栓として兼用される給水栓に連結するのであれば、導出口２８，３０は住宅１００内のどの給水栓に連結されていてもよい。
【００９２】
さらにまた、上述の実施例では、住宅１００の給水系管路に貯水槽１０が設けられたが、これに限定される必要はない。住宅のみならず、ビルや倉庫や事務所などの各種建物の給水系管路に適用可能である。
【００９３】
なお、上述した径や長さ等の具体的数値は、いずれも単なる一例であり、必要に応じて適宜変更可能である。
【符号の説明】
【００９４】
１０  …貯水槽
１２  …槽本体
１６  …給水管
１８ａ，１８ｂ  …給水栓
２０  …管部
２２，２４  …キャップ部
２６  …導入口
２８，３０  …導出口
３４ａ，３４ｂ  …配水管
３８  …内管
４０  …給水口
４２  …吸気弁
１００  …住宅
【図１】
0005432086.tif 000002
【図２】
0005432086.tif 000003
【図３】
0005432086.tif 000004
【図４】
0005432086.tif 000005
【図５】
0005432086.tif 000006
【図６】
0005432086.tif 000007
【図７】
0005432086.tif 000008
【図８】
0005432086.tif 000009
【図９】
0005432086.tif 000010
【図１０】
0005432086.tif 000011
【図１１】
0005432086.tif 000012
【図１２】
0005432086.tif 000013
【図１３】
0005432086.tif 000014
【図１４】
0005432086.tif 000015
【図１５】
0005432086.tif 000016
【図１６】
0005432086.tif 000017
【図１７】
0005432086.tif 000018